(57)【特許請求の範囲】
【請求項１】
電路電流を検出する電流センサと、前記電流センサが検出した電流情報をＡ／Ｄ変換するＡ／Ｄコンバータと、Ａ／Ｄ変換した電流情報を基に、電路の実効値、平均値、特定の期間の最大値等を演算する演算部と、演算したデータを記憶する記憶部と、記憶したデータを外部へ出力するための通信端子とを有する電流測定装置であって、
前記演算部は、０．５〜１．５秒の間の第１時間間隔毎に電路電流の実効値を算出し、更に１０〜３０秒の間の第２時間間隔毎に当該時間間隔内の実効値の最大値と平均値を演算し、求めた前記最大値、平均値を測定した時刻情報と共に前記記憶部に記憶させ、
更に、実効値の測定を開始してから５〜１５日の間の第３時間間隔が経過したら、当該時間間隔内に求めた実効値の前記最大値を順位付けして上位の所定数のデータを抽出し、抽出したデータ及び関連する時刻データを前記記憶部に別途記憶させることを特徴とする電流測定装置。
【請求項２】
前記演算部は、前記第１時間間隔毎で求めた実効値を前記記憶部に一時記憶させ、前記第３時間間隔を経て最大値の上位所定数のデータを抽出したら、抽出したデータに関連する実効値データを除き前記第１時間間隔で測定した実効値データを削除することを特徴とする請求項１記載の電流測定装置。
【発明の詳細な説明】
【技術分野】
【０００１】
本発明は、配電路等の電路電流を一定期間測定して遮断器を選定するためのデータを蓄積する電流測定装置に関する。
【背景技術】
【０００２】
電路電流を一定期間測定してデータを蓄積する装置としては、例えば特許文献１に開示された電流測定器がある。この特許文献１では、電路電流を測定するために電流センサを電路にクランプして、必要な電流データを演算する演算部、演算した電流データを記憶する記憶部、パーソナルコンピュータ等を接続して電流データを読み出すための端子等を備えている。そして、この構成により、一定期間に亘り電路電流の状況を把握することができ、遮断器の選定に役だった。
【先行技術文献】
【特許文献】
【０００３】
【特許文献１】特開２００９−６３４９２号公報
【発明の概要】
【発明が解決しようとする課題】
【０００４】
しかしながら、上記特許文献１の電流測定器は、電路の状態を把握する分には使い易いものであったが、例えば、設置する遮断器を最適なものに選定するために一週間に亘り電路電流の状況を把握したい場合など、電流を記憶する機能を備えてはいるが、最大値等の的確な電流情報を把握するよう構成されていなかった。
例えば、電路電流の最大値を見逃さないようにするためには、短い間隔で電流を測定して全てのデータを記憶したため、記憶部に大きな容量が必要であった。また、記憶量を減らすために一定間隔で平均電流を求めて記憶する構成の場合、記憶部の容量を小さくできたが一時的に大きな電流が流れたときを把握できないため、選定した遮断器がトリップする可能性があった。
また、測定データを生かすためには、パーソナルコンピュータ等を接続して測定データを取り出してデータ加工しなければならないため、面倒であった。
【０００５】
そこで、本発明はこのような問題点に鑑み、遮断器の選定に必要なデータである電路電流の最大値及び平均値を把握し易く、且つ一定期間の電流データを少ない記憶容量で記憶できる電流測定装置を提供することを目的としている。
【課題を解決するための手段】
【０００６】
上記課題を解決する為に、請求項１の発明は、電路電流を検出する電流センサと、前記電流センサが検出した電流情報をＡ／Ｄ変換するＡ／Ｄコンバータと、Ａ／Ｄ変換した電流情報を基に、電路の実効値、平均値、特定の期間の最大値等を演算する演算部と、演算したデータを記憶する記憶部と、記憶したデータを外部へ出力するための通信端子とを有する電流測定装置であって、前記演算部は、０．５〜１．５秒の間の第１時間間隔毎に電路電流の実効値を算出し、更に１０〜３０秒の間の第２時間間隔毎に当該時間間隔内の実効値の最大値と平均値を演算し、求めた前記最大値、平均値を測定した時刻情報と共に前記記憶部に記憶させ、更に、実効値の測定を開始してから５〜１５日の間の第３時間間隔が経過したら、当該時間間隔内に求めた実効値の前記最大値を順位付けして上位の所定数のデータを抽出し、抽出したデータ及び関連する時刻データを前記記憶部に別途記憶させることを特徴とする。
この構成によれば、０．５〜１．５秒の第１時間間隔で電路電流を測定することで、電路電流の最大値を見逃すことなく測定できる。そして、１０〜３０秒の第２時間間隔毎に最大値と平均値を求めて記憶させるため、データ取得後パーソナルコンピュータ等で必要なデータを取得するためにデータ加工する必要が無い。また、第１時間間隔で測定した電流データが保存されなくても、遮断器の選定を的確に行うデータを取得できるので、記憶部の容量を大きくしなくて済む。
【０００７】
更に、長期間に亘り電路電流を計測しても、その期間の最大値とその発生時刻、更に関連する測定データが別途記憶されるので、最大値等のデータを把握し易く遮断器を選定し易い。
【０００８】
請求項２の発明は、請求項１に記載の構成において、前記演算部は、前記第１時間間隔毎で求めた実効値を前記記憶部に一時記憶させ、前記第３時間間隔を経て最大値の上位所定数のデータを抽出したら、抽出したデータに関連する実効値データを除き前記第１時間間隔で測定した実効値データを削除することを特徴とする。
この構成によれば、遮断器の選定に必要ないデータは削除されるので、記憶部の容量を削減できるし、必要なデータは引き続き保存される。
【発明の効果】
【０００９】
本発明によれば、０．５〜１．５秒の第１時間間隔で電路電流を測定することで、電路電流の最大値を見逃すことなく測定できる。そして、１０〜３０秒の第２時間間隔毎に最大値と平均値を求めて記憶させることで、第１時間間隔で測定した電流データが保存されなくても、遮断器の的確な選定を行うデータを取得でき、記憶部の容量を大きくしなくて済む。
【図面の簡単な説明】
【００１０】
【図１】本発明に係る電流測定装置の一例を示す回路ブロック図である。
【図２】２０秒毎に記憶するデータの一覧である。
【図３】１週間単位で記憶するデータの一覧である。
【発明を実施するための形態】
【００１１】
以下、本発明を具体化した実施の形態を、図面に基づいて詳細に説明する。図１は本発明に係る電流測定装置の一例を示す回路ブロック図であり、三相電路の電流を計測する形態を示している。
図１に示すように電流測定装置１は、三相電路の電流を検出するための３個のクランプ式電流センサ１１、電流センサ１１が検出した電流情報をＡ／Ｄ変換するＡ／Ｄコンバータ１２、Ａ／Ｄ変換された電流情報から電流の実効値や最大値等を演算するＣＰＵ１３、演算結果を記憶する不揮発性メモリ１４、ＣＰＵ１３等に電源を供給する電源回路１５及び乾電池１６、記憶したデータを外部に出力するためのＵＳＢコネクタ１７等を備えている。尚、ＬはＲ，Ｓ，Ｔの三相から成る電路である。
【００１２】
Ａ／Ｄコンバータ１２でデジタル変換された電流情報を基に、ＣＰＵ１３は具体的に以下のような電流データを演算して不揮発性メモリ１４に記憶させる。
まず、必要に応じて初期設定が行われる。初期設定では、測定対象の電路の選択、電流を計測する間隔等の設定が行われる。具体的に、単相線路であるか三相電路であるか等の設定がなされ、また計測の間隔（第１時間間隔）、最大値や平均値を求める間隔（第２時間間隔）、記憶データを整理する間隔（第３時間間隔）等の設定が行われる。この設定は、ＵＳＢコネクタ１７に図示しないパーソナルコンピュータを接続し、パーソナルコンピュータを操作して実施される。
【００１３】
但し、これらの設定値は初期値として三相電路を対象とし、第１時間間隔が１秒、第２時間間隔が２０秒、第３時間間隔が１週間（７日間）が夫々設定されており、この設定状態に変更が必要な場合に実施される。単相電路を測定する場合は、単相２線式電路であれば電流センサは１個で良いし、単相３線式電路の場合は２個となる。これにより演算するデータ数も変更される。この実施形態の場合は三相電路であるため、３個の電流センサが使用されてＲ，Ｓ，Ｔの三相の電流データがその都度演算される。
【００１４】
尚、第１時間間隔初期値の１秒は、電路電流の最大値を測定するには十分な測定間隔であることが実験により確認されている。具体的に、実効値は０．１秒間の連続した電流情報を基に演算して求められ、第１時間間隔が１秒の場合は１秒毎に０．１秒間の電流情報を基に実効値が演算される。但し、ここで言う最大値は、電源投入時に瞬時に流れる突発電流を高精度で測定するものではない。
【００１５】
初期設定が終了し、電路に電流センサ１１が取り付けられたら測定が開始される。ここでは、初期設定値の状態で測定を開始した場合を説明する。三相電路Ｌに夫々クランプした電流センサ１１により検出された各電路Ｒ，Ｓ，Ｔを流れる電流情報が、Ａ／Ｄコンバータ１２においてデジタルデータに変換されてＣＰＵ１３に伝送される。
ＣＰＵ１３は、受信した電流情報から１秒毎に各相の実効値を演算する。次に、２０秒毎に、即ち実効値を２０データ求める毎に、その間の最大値と平均値を演算する。求めた、実効値、最大値、平均値は演算した時刻の時刻データと共に不揮発性メモリ１４に記憶される。
【００１６】
図２は、こうして記憶したデータの一部を示している。図２に示すように、２０秒毎の最大値及び平均値のデータが計測時間（時刻情報）と共に記憶される。具体的に、最初の計測時間データは、最大値（及び平均値）の演算に使用した１秒毎の測定データの最初の測定時刻であり、「秒」の単位は切り捨てて表示される。最大値は２０秒毎に求められるため、同一の「分」において最大値は３データ算出される。
また、このデータがＲ，Ｓ，Ｔの三相において演算され記憶され、１秒毎の実効値データも一時的に記憶される。
【００１７】
こうして計測及び演算が行われ、第３時間間隔である１週間が経過すると、ＣＰＵ１３は１週間の中での求めた最大値の上位２０データを抽出し、別途記憶させる。このとき、最大値を求めるにあたり使用された１秒毎の測定データも合わせて関連付けて記憶され、他の実効値データは削除される。図３はこうして記憶されたデータの一部を示している。図３に示すように、上位２０個の最大値データに加えて、平均値データ、演算に使用した１秒毎の実効値データが関連付けて記憶される。
【００１８】
１週間が経過して抽出されてまとめられたデータは、ＵＳＢコネクタ１７にパーソナルコンピュータを接続して表示させることができ、別途データ加工することなく電路電流の状況を把握できる。
【００１９】
このように、１秒の時間間隔で電路電流を測定することで、電路電流の最大値を見逃すことなく測定できる。そして、２０秒間隔毎に最大値と平均値を求めて記憶させるため、データ取得後パーソナルコンピュータ等で必要なデータを取得するためにデータ加工する必要が無い。
また、例えば１週間と長期間に亘り電路電流を計測しても、実効値の最大値等を順位付けして上位２０データと関連する測定データを一括記憶するので、電路電流の状況を把握し易く遮断器の選定に役立つ。
更に、１週間の期間の中で求めた最大値の上位２０データに関連しない実効値データは削除されるので、記憶部の容量を削減できる。
【００２０】
尚、上記実施形態では、実効値を演算する第１時間間隔を１秒、最大値及び平均値を演算する間隔を２０秒、最大値をソートする期間を１週間としたが、これらの計測間隔、演算間隔は上述したように容易に変更できる。但し、電路の最大電流を入手するには、長くても１．５秒間隔とするのが好ましいし、記憶するデータ量を考えると短くても０．５秒間隔で測定すれば十分である。また、最大値及び平均値を演算する間隔は、実効値の測定間隔を基に１０秒から３０秒の間で設定するのが実効値データ数を考えると適当である。更に、最大値の上位２０データを抽出する期間に関しては、工場やオフィス等は１週間データを収集すれば、電流の使用状況を把握できるため１週間前後が好ましく、５日から１５日の間でデータ収集すれば電路の状況を把握するには十分である。
また、１週間に亘りデータ収集した後、最大値の上位２０データを抽出しているが、この数も任意であり、削減して上位１０個のデータを抽出するよう設定しても良い。更に、上位２０データに関連する実効値データを除いて他の実効値データを削除しているが、不揮発性メモリ１４の容量に余裕を持たせた構成であれば全ての測定データを引き続き記憶させても良い。
【符号の説明】
【００２１】
１・・電流測定装置、１１・・電流センサ、１２・・Ａ／Ｄコンバータ、１３・・ＣＰＵ（演算部）、１４・・不揮発性メモリ（記憶部）、１７・・ＵＳＢコネクタ（通信端子）、Ｌ・・電路。
【図１】
0005666935.tif 000002
【図２】
0005666935.tif 000003
【図３】
0005666935.tif 000004